(57)【要約】【課題】薄型に構成することができるとともに、製造が容易となるマッサージ機を提供する。【解決手段】第１シート材１１と、この第１シート材１１に重ねて設けられている第２シート材１２とを有する施療シート５を備えている。流体を流す流路部、及び、この流路部と連通し流体によって施療のために膨張するする風船部８ａが、施療シート５の内部に設けられている。前記流路部は、第１シート材１１と第２シート材１２との合わせ面に設けられた凹溝によって形成されている。【選択図】      図２
2008279015.tif 000002
【特許請求の範囲】
【請求項１】
第１シート材とこの第１シート材に重ねて設けられている第２シート材とを有する施療シートを備え、
流体を流す流路部、及び、この流路部と連通し前記流体によって施療のために作用する作用部が、前記施療シートの内部に設けられており、
前記流路部は、前記第１シート材と前記第２シート材との合わせ面に設けられた凹部によって形成されていることを特徴とするマッサージ機。
【請求項２】
前記流路部は、前記第１シート材と前記第２シート材とのうちの一方のシート材の合わせ面に設けられた前記凹部、及び、この凹部に合わせられる他方のシート材の平滑な平滑面部によって構成されており、
前記作用部は、この一方のシート材に設けられた凹部又は孔、及び、この凹部又は孔に合わせられる前記他方のシート材の平滑な平滑面部によって構成されている請求項１に記載のマッサージ機。
【請求項３】
複数種類の異なる前記作用部が設けられている請求項１又は２に記載のマッサージ機。
【請求項４】
前記作用部は、前記流路部から供給された前記流体によって膨張する部分である請求項１〜３のいずれか一項に記載のマッサージ機。
【請求項５】
前記作用部は、使用者側の外部に開口している吸引用孔である請求項１〜３のいずれか一項に記載のマッサージ機。
【請求項６】
前記作用部は、使用者側の外部に開口し前記流路部から送られる流体を吐出する吐出用孔である請求項１〜３のいずれか一項に記載のマッサージ機。
【請求項７】
前記施療シートは、前記第１シート材及び前記第２シート材のいずれか一方のシート材に重ねて設けられた第３シート材をさらに有し、前記一方のシート材及び／又は前記第３シート材の内部に、流体を流す第２の流路部、及び、この第２の流路部と連通し前記流体によってマッサージのために作用する第２の作用部が設けられている請求項１〜６のいずれか一方に記載のマッサージ機。
【請求項８】
前記第１シート材と前記第２シート材との内部に設けられている第１の前記作用部と、前記第２の作用部とが、前記施療シートの厚さ方向に重なって存在している請求項７に記載のマッサージ機。
【請求項９】
前記第１の作用部と前記第２の作用部とのうちの使用者側となる一方の作用部と、これと連通している前記流路部との双方が、他方の作用部に対して前記施療シートの厚さ方向に重なって存在している請求項８に記載のマッサージ機。
【請求項１０】
前記施療シートは、薬剤、香料及び鉱石の少なくとも一つを含有している請求項１〜９のいずれか一項に記載のマッサージ機。
【請求項１１】
前記施療シートが使用者側として設けられているベース材をさらに備え、このベース材が、使用者の顔面に装着するマスク形である請求項１〜１０のいずれか一項に記載のマッサージ機。
【請求項１２】
前記施療シートが使用者側として設けられているベース材をさらに備え、このベース材が、表面積を変えないでエアによって膨縮するエアセルである請求項１〜１０のいずれか一項に記載のマッサージ機。
【発明の詳細な説明】
【技術分野】
【０００１】
この発明は、マッサージ機に関する。
【背景技術】
【０００２】
エア（空気）を給気又は排気することによって動作するマッサージ具として、膨張収縮可能なエアセルがある（例えば、特許文献１参照）。このようなエアセルを備えたマッサージ機は、ポンプ及び各種バルブを有したエアユニットを動力源としてさらに備えており、このエアユニットからパイプを通じてエアを給気することでエアセルを膨張させ、使用者の被施療部を押圧し、施療を行うことができる。
【０００３】
【特許文献１】特開平１０−２９５７５１号公報（図１参照）
【発明の開示】
【発明が解決しようとする課題】
【０００４】
前記エアセルは膨張収縮することができるように蛇腹形状となっており、また、その基部にパイプを接続するための接続部を設ける必要があるために、エアセル全体の厚さ（嵩）が大きくなってしまう。また、エアセルを蛇腹形状に製造し、このエアセルに対して別部材であるパイプを接続させ、さらに、このパイプを配管する必要があるため、製造（組み立て）に手間を要する。
【０００５】
そこで、この発明は、薄型に構成することができるとともに、製造が容易となるマッサージ機を提供することを目的とする。
【課題を解決するための手段】
【０００６】
前記目的を達成するためのこの発明のマッサージ機は、第１シート材とこの第１シート材に重ねて設けられている第２シート材とを有する施療シートを備え、流体を流す流路部、及び、この流路部と連通し前記流体によって施療のために作用する作用部が、前記施療シートの内部に設けられており、前記流路部は、前記第１シート材と前記第２シート材との合わせ面に設けられた凹部によって形成されているものである。
このマッサージ機によれば、第１シート材と第２シート材とを有する施療シートの内部に流路部及び作用部が設けられているため、薄型に構成することができる。そして、第１シート材と第２シート材との合わせ面に凹部を設け、第１シート材と第２シート材とを重ねることにより流路部を形成することができるので、製造が容易となる。
【０００７】
また、前記マッサージ機において、前記流路部は、前記第１シート材と前記第２シート材とのうちの一方のシート材の合わせ面に設けられた前記凹部、及び、この凹部に合わせられる他方のシート材の平滑な平滑面部によって構成されており、前記作用部は、この一方のシート材に設けられた凹部又は孔、及び、この凹部又は孔に合わせられる前記他方のシート材の平滑な平滑面部によって構成されているのが好ましい。
これによれば、第１シート材と第２シート材とのうちの一方のシート材の合わせ面に凹部、孔を形成し、これに他方のシート材の平滑面部を重ね合わせることにより、流路部及び作用部を構成することができるので、製造が容易となる。
【０００８】
また、前記マッサージ機において、複数種類の異なる前記作用部が設けられているのが好ましい。これによれば、複数種類の作用を有するものが得られる。
また、前記マッサージ機において、前記作用部を、前記流路部から供給された前記流体によって膨張する部分とすることができる。これによれば、作用部が膨張することにより使用者の被施療部を押圧することができる。
【０００９】
また、前記マッサージ機において、前記作用部を、使用者側の外部に開口している吸引用孔とすることができる。これによれば、吸引用孔によって被施療部を吸引することができる。
また、前記作用部を、使用者側の外部に開口し前記流路部から送られる流体を吐出する吐出用孔とすることができる。これによれば、吐出用孔から被施療部に対して流体を供給する（吹き付ける）ことができる。
【００１０】
また、前記マッサージ機において、前記施療シートは、前記第１シート材及び前記第２シート材のいずれか一方のシート材に重ねて設けられた第３シート材をさらに有し、前記一方のシート材及び／又は前記第３シート材の内部に、流体を流す第２の流路部、及び、この第２の流路部と連通し前記流体によってマッサージのために作用する第２の作用部が設けられているのが好ましい。これによれば、作用部を複数設けることができる。また、このために適した構造となり、特に種類の異なる複数の作用部を設ける際に、各作用部をそれぞれ独立させた構造にしやすい。
【００１１】
さらに、この場合において、前記第１シート材と前記第２シート材との内部に設けられている第１の前記作用部と、前記第２の作用部とが、前記施療シートの厚さ方向に重なって存在しているのが好ましい。これによれば、第１の作用部と第２の作用部とが厚さ方向に重なって存在しているので、これらの作用部の双方又は一方を作動させることによって多様な施療が可能となる。
さらに、前記第１の作用部と前記第２の作用部とのうちの使用者側となる一方の作用部と、これと連通している前記流路部との双方が、他方の作用部に対して前記施療シートの厚さ方向に重なって存在している構成とすることができる。このように、一方の作用部と連通している流路部が、他方の作用部と厚さ方向に重なり使用者側に存在していても、前記のとおり、当該流路部は施療シートの内部に設けられているため、使用者に対して当該流路部の存在を認識させにくい構造となっている。
【００１２】
また、前記マッサージ機において、前記施療シートは、薬剤、香料及び鉱石の少なくとも一つを含有しているのが好ましい。
これによれば、このマッサージ機を被施療部に接近させた状態とすると、薬剤、香料及び鉱石のうちの少なくとも一つによる作用を、被施療部へ与えることができる。
【００１３】
また、前記マッサージ機は、前記施療シートが使用者側として設けられているベース材をさらに備え、このベース材が、使用者の顔面に装着するマスク形であるものとすることができる。これによれば、使用者の顔面に対して施療を行うことができるマッサージ機となる。
または、前記マッサージ機は、前記施療シートが使用者側として設けられているベース材をさらに備え、このベース材が、表面積を変えないでエアによって膨縮するエアセルであるものとすることができる。これによれば、エアによって膨縮するエアセルと、施療シートとにより、複合的な施療が可能となる。
【発明の効果】
【００１４】
この発明のマッサージ機によれば、施療シートの内部に流路部及び作用部が設けられているため、薄型に構成することができ、また、第１シート材と第２シート材との合わせ面に凹部を設け、これらシート材を重ねることにより流路部を形成することができるので、製造が容易となる。
【発明を実施するための最良の形態】
【００１５】
以下、この発明の実施の形態を図面に基づいて説明する。
［第１実施形態］
図１はこの発明のマッサージ機の実施の一形態を示す正面図である。図２はこのマッサージ機の断面図である。図１と図２のマッサージ機は、使用者の顔面に装着するマスク形であり、顔面に対して施療を行うものである。なお、後にも説明するが、この施療には、使用者の被施療部（図では顔面）に対して、押圧（押圧による揉みと叩き）や吸引等の物理的な外力を作用させる（刺激を与える）施療以外に、薬液を吹き付ける等の美容的な作用を与える施療、香料等のパーティクルを吹き付ける等のリラックスさせる作用を与える施療が含まれる。
【００１６】
このマッサージ機は、使用者の顔に装着させるマスク形のマスク本体部１と、このマスク本体部１とパイプ２ａ〜２ｉ及びリード線３を介して繋がっている動力部４とを備えている。図２において、マスク本体部１はベース材１０と施療シート５とからなる。ベース材１０は顔面に装着するマスク形であり、例えば樹脂により成形することができる。ベース材１０は、その内面１０ａに、施療シート５を使用者側（被施療部側）の部材として取り付けている。この取り付けは接着とすることができる。つまり、マスク本体部１の装着状態で、施療シート５を被施療部に当接させる。
【００１７】
施療シート５は、複数枚の薄いシート状のシート材からなる。図２では、施療シート５は第１シート材１１と第２シート材１２との２枚からなり、第２シート材１２は、第１シート材１１に重ねて設けられている。第１シート材１１及び第２シート材１２は樹脂製やゴム製とすることができ、少なくとも被施療部側のシート材（図例では第２シート材１２）は弾性変形が可能な部材である。具体的には、シリコンゴムとすることができ、薄くて柔軟な構造となっている。
【００１８】
図１において、動力部４はマスク本体部１と別体となっており、動力部４は、パイプ２ａ〜２ｉ及びリード線３を接続させるポート部（図示せず）と、流体（液体又は気体）を吐出する吐出ポンプ（図示せず）を有している吐出部２６と、流体を吸引する吸引ポンプ（図示せず）を有している吸引部２７と、吐出部２６及び吸引部２７の動作を制御する制御部２８とを備えている。パイプ２ａ〜２ｉのそれぞれの一端部は前記マスク本体部１（後述する流路部７）と繋がっており、他端部は動力部４の前記ポート部と繋がっている。
【００１９】
マスク本体部１を図１と図２とにより説明する。
ベース材１０は、人面に対応した形状を有する板状のものであり、目、鼻、口に対応する部分が開口している。このベース材１０は、顔面の略全体を覆う形状を有しているが、顔面の少なくとも一部を覆う形状のものであればよい。
施療シート５（第１シート材１１及び第２シート材１２）は人面に対応した形状の部材であり、目、鼻、口に対応する部分が開口している。なお、図示しないが、この施療シート５は、ベース材１０に対して部分的に重ねて設けられたものであってもよい。
【００２０】
図３は、マスク本体部１の要部（図１の一点鎖線で囲んでいる部分）を示している正面図である。図４は図３のＡ−Ａ矢視における断面図である。第１シート材１１と第２シート材１２とは合わせ面１１ａ，１２ａにおいて接着している。そして、第２シート材１２を使用者側として、このマスク本体部１が使用者に装着される。
このマスク本体部１の施療シート５には、動力部４から供給された流体を流す複数本の流路部７、及び、この流路部７と連通している複数個の作用部８ａ，８ｂが設けられている。作用部８ａ，８ｂは、後にも説明するが、流体が入る（充填される又は通過する）ことにより、被施療部に対して施療のために作用することができる部分である。なお、図４において、流路部７は図３のＡ−Ａにおける断面には存在していないが、つまり、流路部７は作用部８ａ，８ｂ内に存在しているものではないが、流路部７の横断面の形状を説明するため、図４において流路部７を記載している（後述する図９も同様）。そして、複数個の作用部８ａ（８ｂ）が流路部７によって直列に繋がっており、繋がっている複数個の作用部８ａ（８ｂ）によって一列の作用部列を構成している。そして、施療シート５には複数列の作用部列が設けられている。図１では、左右のそれぞれにおいて、目の側部に２列、頬部に７列の作用部列が設けられている。各作用部列が有している流路部７と、前記パイプ２ａ〜２ｉのそれぞれとが繋がっている。なお、作用部列は直線状又は湾曲状に配置される以外に、蛇行状に配置されていてもよい。
【００２１】
この施療シート５には２種類の異なる作用部８ａ，８ｂが設けられている。つまり、施療の性質が異なる２種類の第１の作用部８ａと第２の作用部８ｂとが設けられている。
第１の作用部８ａは内部に空室部を有する風船部であり（以下、風船部８ａ）、この風船部８ａは、前記動力部４の吐出部２６からパイプ（２ａ〜２ｈ）及び流路部７を介して供給された流体（エア）によって膨張する（図４（ｂ）参照）。この膨張した風船部８ａにより、被施療部を押圧することができる。
第２の作用部８ｂは、使用者側の外部に開口している吸引用孔であり（以下、吸引用孔８ｂ）、前記動力部４の吸引部２７がエア（空気）を吸引することによって、パイプ２ｉ及び流路部７を介して、この吸引用孔８ｂから使用者側のエア（空気）を吸うことができる。これにより、吸引用孔８ｂによって被施療部を吸引することができる。
【００２２】
この吸引用孔８ｂにおける吸引作用は、使用者の皮膚に対して刺激を与えるマッサージ機能以外にも、マスク本体部１を使用者の身体（顔面）に吸着させて位置保持する機能も有している。この場合、複数の吸引用孔８ｂをマスク本体部１に適宜配置することで、マスク本体部１を顔面に密着させることができる。そして、この密着させた状態で、風船部８ａによる押圧作用を与えることができる。このために、位置保持用（吸着用）としての吸引用孔８ｂは、マスク本体部１の周縁部に複数設けることができる。
【００２３】
また、この吸引用孔８ｂを吐出用孔８ｃとして用いてもよい。つまり、吸引用孔８ｂと繋がっている動力部４の吸引部２７を、吐出部２９として機能させ、この吐出部２９が、エア（又は液体）及びこのエア（又は液体）に含ませた香料等のパーティクルを、または、薬液（エアに含ませた薬液）を、パイプ２ｉ及び流路部７を介して吐出用孔８ｃから使用者側へ吹き付けることができる。なお、パーティクル（薬液）は、動力部４が備えるパーティクル（薬液）溜まり部（図示せず）内にある。
または、吸引用孔８ｂ及び吸引部２７とは別に、使用者側の外部に開口している吐出用孔８ｃをマスク本体部１にさらに設け、動力部４に吐出部２９をさらに設け、この吐出部２９が動作することにより、パイプ２ｉ及び流路部７から送られた流体を、この吐出用孔８ｃから吐出させるようにしてもよい。
【００２４】
図５は図３のＢ−Ｂ矢視における断面図であり、図６はＣ−Ｃ矢視における断面図である。前記作用部（８ａ，８ｂ，８ｃ）及び流路部７は、施療シート５の内部（つまり、第１シート材１１と第２シート材１２との厚み内）に設けられている。具体的に説明すると、流路部７は、第１シート材１１と第２シート材１２との間の合わせ面に設けた凹溝２１によって形成されている。特に、この実施形態では、第１シート材１１と第２シート材１２とのうちの一方の第２シート材１２の合わせ面１２ａに凹溝２１を設け、この凹溝２１に第１シート材１１の平滑な平滑面部１５（合わせ面１１ａ）を重ね合わせることにより、凹溝２１の底面と両側面、及び、当該凹溝２１の底面との対向面となる平滑面部１５によって、横断面において、周方向に囲まれた流路部７が構成される。
【００２５】
さらに、第１の作用部である風船部８ａについて図４と図５とにより説明する。流路部７を構成するために凹溝２１を設けた第２シート材１２の前記合わせ面１２ａに窪み形状の凹部２２を設け、この凹部２２に第１シート材１１の平滑な平滑面部１５（合わせ面１１ａ）を重ね合わせることにより、凹部２２の底面と側面、及び、当該凹部２２の底面との対向面となる平滑面部１５によって囲まれた、風船部８ａの空室部が構成される。そして、凹部２２は、前記凹溝２１と合わせ面１２ａ側において繋がっている。
また、風船部８ａの空室部は、これに繋がっている流路部７の凹溝２１よりも深い凹部２２によって構成されており、また、図４において、風船部８ａの空室部の横断面は、流路部７の横断面よりも大きくなっている。
【００２６】
また、第２シート材１２に凹部２２を形成することにより、当該凹部２２よりも使用者側の部分に薄膜部１９が形成される（残される）。この薄膜部１９は、第２シート材１２の本体部（凹部２２、凹溝２１が形成されていない部分）よりも厚さが薄くなっているため、空気が風船部８ａに供給されることによって薄膜部１９においてその表面積を拡大させながら膨張することができる。そして、この膨張した薄膜部１９が被施療部を押圧することができる。つまり、第２シート材１２の合わせ面１２ａ側には凹部２２が形成されており、その反対である表面側には被施療部を押圧する押圧部となる薄膜部１９が形成されている構成となっている。
【００２７】
空気が供給され風船部８ａ内が加圧されると、風船部８ａはその表面積を弾性的に拡大させながら膨張するため（図４（ｂ））、この風船部８ａへの加圧を解除すると、薄膜部１９の弾性復元力により、風船部８ａは加圧前の自然状態（図４（ａ））に自動的に戻ることができる。
また、この構成によれば、薄い薄膜部１９によって、風船部８ａは被施療部に対して外力を付与する程度に大きく膨張し、施療の作用を与えることができるが、流路部７から表面までの厚さ（被施療部側の厚さ）は薄膜部１９に比して充分に厚いため、流路部７では被施療部に対して施療の作用を与える程の膨張が生じない構造である。このため、流路部７によって意図しない部位に対して押圧による施療が行われたり、流路部７の存在によって使用者に不快感を与えたりすることを防止できる。
【００２８】
なお、図１及び図３に示しているように、風船部８ａの空室部（凹部２２）の正面視における輪郭形状を円形としているが、この空室部の形状は矩形としてもよく、また、凹部２２を一方向に長い凹溝としてもよく、また、この場合、風船部８ａは直線的なもの以外に湾曲している形状であってもよい（図７参照）。なお、図１と図７とにおいて、風船部８ａ及び流路部７について、説明を容易とするために、実線で示している。
【００２９】
第２の作用部である吸引用孔８ｂ（吐出用孔８ｃ）について図６により説明する。流路部７を形成するために凹溝２１が第２シート材１２の合わせ面１２ａに設けられており、この第２シート材１２に厚さ方向に貫通した孔２３を設け、この孔２３の一端部（第２シート材１２の合わせ面１２ａ）に第１シート材１１の平滑な平滑面部１５（合わせ面１１ａ）が重ね合わされることにより、当該平滑面部１５を底面とした有底状の孔として、吸引用孔８ｂ（吐出用孔８ｃ）は構成される。この吸引用孔８ｂ（吐出用孔８ｃ）は、流路部７を構成するための凹溝２１と合わせ面１２ａ側において繋がっている。
【００３０】
以上のようにこの実施形態では、第２シート材１２（合わせ面１２ａ）に、流路部７及び作用部（８ａ，８ｂ，８ｃ）を構成するための凹溝２１、凹部２２及び孔２３が形成されているが、他方の第１シート材１１（合わせ面１１ａ）には、流路部７及び作用部（８ａ，８ｂ，８ｃ）を構成するための凹溝、凹部及び孔が形成されておらず、合わせ面１１ａにおける流路部７及び作用部（８ａ，８ｂ，８ｃ）に重ね合わせる部分は、平滑な面（平滑面部１５）としている。そして、流路部７と作用部（８ａ，８ｂ，８ｃ）とは複数枚（２枚）が重ね合わされたシート材（１１，１２）により一体として形成されている。
【００３１】
［第２実施形態］
図８はマスク形マッサージ機の第２の実施形態を示す断面図である。このマスク本体部１の施療シート５は、３枚のシート材（第１シート材１１、第２シート材１２、第３シート材１３）からなる。この第２の実施形態は、第１の実施形態と比べて施療シート５の形態が異なるが、マスク本体部１のベース材１０及び動力部４等は同じである。
【００３２】
施療シート５は人面に対応した形状の部材であり、目、鼻、口に対応する部分が開口している。第１シート体１１の第１の合わせ面１１ａに第２シート体１２が重ね合わせて設けられており、第１シート体１１の反対側である第２の合わせ面１１ｂに第３シート材１３が重ね合わせて設けられている。なお、この施療シート５は、ベース材１０に対して部分的に重ねて設けられたものであってもよい。第１シート材１１と第２シート材１２とは合わせ面１１ａ，１２ａにおいて接着しており、第１シート材１１と第３シート材１３とは合わせ面１１ｂ，１３ａにおいて接着している。そして、第２シート材１２を使用者側として、このマスク本体部１が使用者に装着される。
【００３３】
第１シート材１１と第２シート材１２とによるシート層の内部（厚み内）に設けられた第１の作用部（風船部８ａ）及びこれに繋がっている第１の流路部７は、第１の実施形態と同じであるが、第２の作用部（吸引用孔８ｂ、吐出用孔８ｃ）及びこれに繋がる第２の流路部１７の形態が異なっている。
図９と図１０と図１１とはマスク本体部１の要部の断面図であり、それぞれ第１の実施形態の図４と図５と図６とに対応している。
この第２の実施形態においても、第１の作用部（風船部８ａ）及びこれに繋がっている第１の流路部７は、第１シート材１１と第２シート材１２とによるシート層の内部（厚み内）に設けられている。つまり、第１シート材１１と第２シート材１２とのうちの一方の第２シート材１２の合わせ面１２ａに凹溝２１を設け、この凹溝２１に第１シート材１１の平滑な平滑面部１５（第１合わせ面１１ａ）を重ね合わせることにより、横断面において、周方向に囲まれた第１の流路部７が構成される。
【００３４】
さらに、第１の作用部である風船部８ａの空室部は、第１の流路部７を構成するために凹溝２１を設けた第２シート材１２の合わせ面１２ａに凹部２２を設け、この凹部２２に第１シート材１１の平滑な平滑面部１５（第１合わせ面１１ａ）を重ね合わせることにより構成される。そして、凹部２２は、前記凹溝２１と合わせ面１２ａ側において繋がっている。また、風船部８ａの空室部は、これに繋がっている流路部７の凹溝２１よりも深い凹部２２によって構成されており、また、図９において、風船部８ａの空室部の横断面は、流路部７の横断面よりも大きくなっている。そして、凹部２２よりも使用者側の部分に薄膜部１９が形成されている。
【００３５】
図１１において、第２の作用部（吸引用孔８ｂ（吐出用孔８ｃ））及びこれに繋がっている第２の流路部１７は、第１シート材１１と第２シート材１２とによるシート層の内部（厚み内）に設けられている。そして、第１シート材１１と第３シート材１３とのうちの一方の第１シート材１１の第２の合わせ面１１ｂに凹溝２１を設け、この合わせ面１１ｂに第３シート材１３の平滑な平滑面部１６（合わせ面１３ａ）を重ね合わせることによって、横断面において、周方向に囲まれた第２の流路部１７が構成される。なお、第１シート材１１の第２の合わせ面１１ｂは、第１の合わせ面１１ａの反対側の面である。
【００３６】
第２の作用部である吸引用孔８ｂ（吐出用孔８ｃ）について図９と図１１とにより説明する。第１シート材１１及び第２シート材１２にこれらの厚さ方向に貫通した孔２３が形成されており、この孔２３の一端部（第２の合わせ面１１ｂ）に第３シート材１３の平滑な平滑面部１６（合わせ面１３ａ）が重ね合わされることにより、当該平滑面部１６を底面とした有底状の孔として、吸引用孔８ｂ（吐出用孔８ｃ）は構成される。この吸引用孔８ｂ（吐出用孔８ｃ）は、第２の流路部１７を構成するための凹溝２１と第２の合わせ面１１ｂ側において繋がっている。
【００３７】
以上のように、この実施形態では、図１０において、第２シート材１２（合わせ面１２ａ）に、第１の流路部７及び第１の作用部（８ａ）を構成するための凹溝２１及び凹部２２が形成されているが、他方の第１シート材１１の第１の合わせ面１１ａには、流路部７及び第１の作用部（８ａ）を構成するための凹溝及び凹部が形成されておらず、第１の合わせ面１１ａにおける流路部７及び第１の作用部（８ａ）に重ね合わせる部分は、平滑な面（平滑面部１５）を有している。
また、図１１において、第１シート材１１の第２の合わせ面１１ｂに、第２の流路部１７及び第２の作用部（８ｂ）を構成するための凹溝２１及び孔２３の一部が形成されているが、他方の第３シート材１１の合わせ面１３ａには、流路部１７及び第２の作用部（８ｂ）を構成するための凹溝及び孔が形成されておらず、第３シート材１３の合わせ面１３ｂにおける流路部１７及び第２の作用部（８ｂ）に重ね合わせる部分は、平滑な面（平滑面部１６）を有している。
そして、流路部７と第１及び第２の作用部（８ａ，８ｂ，８ｃ）とは、複数枚（３枚）が重ね合わされたシート材（１１，１２，１３）によって一体として形成されている。
【００３８】
［第３実施形態］
図１４は、マッサージ機の第３の実施形態を示している正面図である。図１２は、このマッサージ機の要部の断面図であり、図１４の頬部の最下位置にある作用部列における断面図である。このマスク本体部１の施療シート５は、第２実施形態と同様に、３枚のシート材（第１シート材１１、第２シート材１２、第３シート材１３）からなる。この施療シート５が、マスク形のベース材１０に取り付けられている。そして、この実施形態では、第１の作用部と第２の作用部とが施療シート５の厚さ方向に重なって存在している。
【００３９】
具体的に説明すると、この第３の実施形態は、第１及び第２の実施形態と同様に、第１の作用部（風船部８）及び第１の流路部７が、第１シート材１１と第２シート材１２とによるシート層の内部に設けられている。第２シート材１２の合わせ面１２ａに凹溝２１を設け、この凹溝２１（合わせ面１２ａ）に第１シート材１１の平滑な平滑面部１５（第１の合わせ面１１ａ）を重ね合わせることにより、横断面において、周方向に囲まれた第１の流路部７が構成される。
【００４０】
さらに、第１の作用部である風船部８ａの空室部は、第１の流路部７を構成するために凹溝２１を設けた第２シート材１２の合わせ面１２ａに凹部２２を形成し、この凹部２２（合わせ面１２ａ）に第１シート材１１の平滑な平滑面部１５（第１の合わせ面１１ａ）を重ね合わせることにより構成される。
【００４１】
また、第２の実施形態と同様に、第１シート材１１の第２の合わせ面１１ｂに重ねて設けられた第３シート材１３をさらに備えており、この第１シート材１１と第３シート材１３とによるシート層の内部に、流体を流す第２の流路部１７、及び、この第２の流路部１７と連通し前記流体によってマッサージのために作用する第２の作用部（１８ａ）が設けられている。
【００４２】
第２の流路部１７は、第１シート材１１の（第１の合わせ面１１ａと反対側の面である）第２の合わせ面１１ｂに凹溝３１を設け、この凹溝３１（合わせ面１１ｂ）に第３シート材１３の平滑な平滑面部１６（合わせ面１３ａ）を重ね合わせることにより、横断面において、周方向に囲まれた構成となっている。
さらに、第２の作用部である風船部１８ａの空室部は、第２の流路部１７を構成するために凹溝３１を設けた第１シート材１１の第２の合わせ面１１ｂに凹部３２を設け、この凹部３２に第３シート材１１の平滑な平滑面部１６（合わせ面１３ａ）を重ね合わせることにより構成される。なお、図示しないが、第３シート材１３に、第２の流路部１７及び第２の作用部（１８ａ）が設けられていてもよい。
【００４３】
そして、第１シート材１１と第２シート材１２とのシート層の内部に設けられている第１の作用部（８ａ）と、第１シート材１１と第３シート材１３とのシート層の内部に設けられている第２の作用部（１８ａ）とが、施療シート５（３枚のシート材１１，１２，１３）の厚さ方向に重なって存在している。つまり、第２の作用部（１８ａ）の被施療部側の位置に第１の作用部（８ａ）が重なるようにして、これら作用部（８ａ，１８ａ）が配設されている。
なお、図１２において、重なる作用部は共に風船部８ａ，１８ａであり、風船部８ａ，１８ａのそれぞれの構成は、前記実施形態と同様であるが、使用者側に近い風船部８ａは小さい円形乃至矩形であり、使用者側と離れている風船部１８ａは、風船部８ａよりも輪郭形状が大きい長円形乃至矩形である。
【００４４】
また、図１３において、重なる作用部のうち、第３シート材１３側の第２の作用部は風船部１８ａであるが、被施療部側の第１の作用部は、前記第１の実施形態で説明したものと同様の吸込用孔８ｂ（吐出用孔８ｃ）である。この図１２の構成と図１３の構成とを一つのマスク本体部１に併存させたものとすることができる。
【００４５】
この実施形態によれば、施療シート５の厚さ方向に、２層の風船部８ａ，１８ａを設けることができる。また、使用者側（被施療部側）の第１の流路部７と第１の風船部８ａとを一つの層間に設け、第２の流路部１７と第２の風船部１８ａとを別の層間に設けていることから、流路部などの配置が煩雑とならず、２層の風船部８ａ，１８ａを有する構成を容易に得ることができる。
また、各層に独立して設けられている複数の作用部のそれぞれは、吐出部２６、吸引部２７（吐出部２９）によって、別個独立して動作することができるようになっている。つまり、使用者側の層にある作用部（８ａ）と、この作用部（８ａ）の下層にある作用部（１８ａ）とは、相互関係なく独立して機能（動作）するように構成されている。
【００４６】
そして、図１２において、２つの作用部（風船部８ａと風船部１８ａ）を、それぞれ異なる層に設けていることから、流路部７，１７が交わらず、風船部８ａと風船部１８ａとを独立させて膨縮動作させることができる。
また、図１３において、種類の異なる２つの作用部（吸引用孔８ｂと風船部１８ａ）を設ける場合、それぞれ異なる層に設けていることから、流路部７，１７が交わらず、吸引用孔８ｂと風船部１８ａとを独立して動作させる構成とすることができ、異なる機能をそれぞれ発揮することができる。
【００４７】
以上のように、図１２の作用部によれば、第１の作用部（風船部８ａ）と第２の作用部（風船部１８ａ）とが、マスク本体部１の厚さ方向に重なって存在しているので、これらの作用部（８ａ，１８ａ）の双方、又は一方を作動させることによって多様な施療が可能となる。
例えば、図１２（ｂ）に示しているように、風船部８ａ，１８ａの双方を動作させると押し出し量が大きくなって押圧力が大きくなり、一方のみを動作させると押し出し量が小さくなって押圧力が小さくなるというように、マッサージ強さ（押圧力）を変更することができる。
また、図１３の吸引用孔８ｂと風船部１８ａによれば、図１３（ｂ）に示しているように、風船部１８ａを膨張させることで吸引用孔８ｂを被施療部に押し付けながら、当該吸引用孔８ｂによって被施療部を吸引することができる。
また、図１３の吸引用孔８ｂを吐出用孔８ｃとして機能させた場合は、風船部１８ａを膨張させることで吐出用孔８ｃを被施療部に押し付けながら、当該吐出用孔８ｃによって被施療部に対して流体を吹き付けることができる。
【００４８】
さらに、図１２において、第１の作用部としての風船部８ａ及び第２の作用部としての風船部１８ａが施療シート５の厚さ方向に重なっている形態において、使用者側となる第１の作用部としての風船部８ａ、及び、これと連通している第１の流路部７の一部の双方が、第２の作用部としての風船部１８ａに対して施療シート５の厚さ方向に重なって存在している。さらに、一つの風船部１８ａに対して、複数（２つ）の風船部８ａが厚さ方向に重なって存在している。
このように、使用者側の風船部８ａと連通している流路部７が、下層の風船部１８ａと厚さ方向に重なり使用者側に存在していても、この流路部７は施療シート５の内部に埋まっているようにして設けられているため、使用者に対して当該流路部７の存在により違和感を与えにくい。すなわち、図示しないが（図１２を参考にして説明すると）、使用者側の風船部８ａと連通している流路部が、施療シート５の内部に埋まっている状態ではなく、流路部がパイプからなり露出状態で設けられている場合（比較例）、下層の風船部が膨張すると、このパイプが使用者（被施療部）に押し付けられる。この比較例では、下層の風船部が膨張するとパイプが使用者に対して線接触している状態となり、使用者はパイプの存在を感じてしまう。
しかし、図１２のように、流路部７が施療シート５の内部に設けられているため、下層の風船部１８ａが膨張して流路部７の一部が使用者側へ押し出されても、この施療シート５のうちの当該流路部７が存在している部分は、使用者に対して広い面で面接触することができるため、使用者はこの流路部７の存在を感じることがない。
【００４９】
以上の各実施の形態によれば、施療シート５の内部に流路部７及び作用部（８ａ，８ｂ，８ｃ）が設けられているため、本体部１を薄型に構成することができる。したがって、使用者が顔に装着して用いるマスク形のマッサージ機として本体部１は好ましい構造となる。
さらに、第１シート材１１と第２シート材１２とのうちの一方のシート材（第２シート材１２）の合わせ面１２ａに凹部（凹溝２１、凹部２２）を形成し、これに他方のシート材（第１シート材１１）を重ねることにより、流路部７及び作用部（８ａ）を形成することができるので、製造が容易となる。
すなわち、図示しないが、第１シート材１１の合わせ面１１ａと第２シート材１２の合わせ面１２ａとの双方にそれぞれ、凹部等を加工し、この加工部分を組み合わせることによって一つの流路部及び一つの作用部を構成する場合、第１シート材１１のその加工部分と第２シート材１２のその加工部分との厳密な位置合わせが必要となる。しかし、図示した前記各実施形態の場合、第１シート材１１の合わせ面１２ａは一面状である平滑面からなるために、第２シート材１２にのみ凹部を設け、この上に第１シート材１１を重ねる際、第２のシート材１２に対して第１のシート材１１を厳密に位置合わせして重ねる必要がないため、製造が容易となる。
【００５０】
［施療動作について］
図１（図７）及び図１４において、作用部としての風船部８ａは、左右の頬部、左右の目の側部に設けられており、また、作用部としての吸引用孔８ｂ（吐出用孔８ｃ）は左右の頬部に設けられている。さらに、（図１と図１４とでは複数の風船部８ａが繋がって）一方向に長く構成された前記作用部列は、頬部において、左右横方向を長手方向とし、上下に複数列（６列）が設けられている。そして、この上下方向の中央部に、複数の吸引用孔８ｂが繋がって一方向に長く構成された別の作用部列が一列設けられている。また、目の側部において、複数の風船部８ａによる別の作用部列が、上下方向を長手方向とし、左右に複数列（２列）設けられている。
【００５１】
そして、動作部４の制御部２８は、風船部８ａによる複数の作用部列をシーケンシャル制御する。例えば、頬部において、作用部列を上から下へ（又は下から上へ）順番に切り替えて動作させ、頬部に対して、波打つように押圧するマッサージを行う。これにより、揉みに相当する施療が可能となる。または、上下両側から中央へと向かうように順番に、作用部列を動作させ、頬部を上下から挟むように押圧するマッサージを行う。これにより、挟み揉みに相当する施療が可能となる。
また、目の側部において、作用部列を中央側から側部側へ順番に切り替えて動作させ、目尻を側方へ引張るように押圧するマッサージを行う。または、作用部列を側部側から中央側へ順番に切り替えて動作させ、目の側部を中央へ押圧するマッサージを行う。
また、制御部２８が、風船部８ａを短い周期で膨張、収縮させることにより、叩きに相当する施療が可能となる。
【００５２】
また、図１２及び図１４のように、施療シート５において、使用者側に小さな作用部（風船部８ａ）が設けられたミクロ構造部と、使用者側から離れている下層側に（風船部８ａよりも）大きな作用部（風船部１８ａ）が設けられたマクロ構造部とを備えている構成において、前記マクロ構造部を動作させると大きな揺れを与えるような粗い動作によるマッサージが行われる。また、ミクロ構造部を動作させると小さな点で刺激を与える細やかな動作によるマッサージが行われる。また、マクロ構造部及びミクロ構造部を同時に動作させると、被施療部に対して、大きな揺れを与えながら小さな点で刺激を与える複合的なマッサージが可能となる。
【００５３】
さらに、動作部４は、風船部８ａ及び吐出用孔８ｃへ供給する流体（空気又は液体）の温度を調整する温度調整部（図示せず）を備えている。温度調整部は、サーモスタットとヒータとを有しており、供給する流体の温度を高めることで、被施療部を温めながら前記作用部による施療を行うことができる。また、供給する流体の温度を低くすることで、被施療部を冷しながら前記作用部による施療を行うことができる。なお、流体の温度を検出するセンサは、マスク本体部１に設けられていてもよい。
【００５４】
さらに、マスク本体部１には、ヒータ部３６（図１参照）が設けられており、このヒータ部３６はリード線３を介して動力部４が有している温度調整部３７と繋がっている。ヒータ部３６は、例えば、第１シート１１と第２シート１２との間に介在しており、面状のヒータとすることができる。図１では、ヒータ部３６は、目の周囲を温めるように目開口部の周囲に設けられている。温度調整部３７は、マスク本体部１に設けたセンサ（図示せず）からリード線３と介して検出信号を受け、ヒータ部３６の温度制御を行う。そして、このヒータ部３６を、前記風船部８ａ、吸引用孔８ｂ、吐出用孔８ｃと共に機能させ、複合的な施療を行うことができる。
【００５５】
また、前記各実施形態において、２枚のシート材により本体部１を構成した場合（図４）、これらシート材１１，１２のうちの少なくとも一方が、薬剤（薬液）、香料及び鉱石（鉱石の粒子）の少なくとも一つを含有している。また、３枚のシート材により本体部１を構成した場合（図９）、これらシート材１１，１２，１３のうちの少なくとも一つが、薬剤（薬液）、香料及び鉱石（鉱石の粒子）の少なくとも一つを含有している。
香料としては従来知られているものを適用することができ、また、鉱石は、遠赤外線放射による温感作用を被施療部に与えるものや、マイナスイオンを発生するものであり、従来知られている三仙石赤、三仙石青、黒点花蛇紋石、石英変岩石、トルマリン鉱石等がある。これによれば、前記作用部による施療と共に、香料、鉱石による作用を、被施療部へ与えることができる。薬剤としては、例えば美肌作用を有するアミノ酸がある。
【００５６】
［他の形態によるマッサージ機（第４実施形態）］
図１５は、別のマッサージ機の実施形態を示す説明図である。このマッサージ機は、例えば座部（図示せず）と、この座部の後部にある背凭れ部３９とを有している椅子型である。そして、背凭れ部３９に、表面積を変えないでエアによって膨縮するエアセル４０が設けられている。また、座部の下にはこのエアセル４０にエア（空気）を供給する図示しないエアユニット（動力部）が設けられている。このエアユニットによるエアの給排によってエアセル４０は膨縮動作することができる。エアセル４０は、表面積を変えないで膨縮することができるように、全体又は一部（側周部）が山折り及び谷折りが交互に繰り返されて形成されたものであり、例えば蛇腹形状となっている。
【００５７】
そして、このエアセル４０の使用者側に、複数枚のシート材からなる前記の各形態と同様の施療シート５が設けられている。この施療シート５の輪郭形状は、エアセル４０の先端部に対応する形状（例えば円形や楕円形）となっており、前記各実施形態と同様に、第１シート材及び第２シート材（さらには第３シート材）を有している。つまり、ベース材１０をエアセル４０としており、このエアセル４０の使用者側に施療シート５が設けられている。
【００５８】
この場合において、エアセル４０の先端部の膜部材の表面に、第１シート材及び第２シート材（さらには第３シート材）を取り付けてもよいが、エアセル４０の先端面を形成する膜部材を、前記第１シート材及び第２シート材（さらには第３シート材）のうちの一つとすることができる。このような、エアによって膨縮するエアセル４０と、シート材の間に設けた作用部（８ａ，８ｂ，８ｃ）とにより、複合的な施療が可能となる。
【００５９】
さらに、この発明のマッサージ機は、図示した形態に限らずこの発明の範囲内において他の形態のものであっても良い。例えば、この発明のマッサージ機は、図１又は図１４のマスク形の本体部１と、座部及び背凭れ部を有する椅子本体部（図示せず）とを備えた椅子型のマッサージ機（図示せず）であってもよい。この場合、座部と背凭れ部とのうちの少なくとも一方に、前記（図１５）と同様のエアセル４０が設けられており、このエアセル４０にエアを給気するエアユニットが椅子本体部の内部に設けられている。そして、このエアユニットによってマスク形の本体部１にエアを供給する構成とすることができる。
または、前記エアセル４０にエアを供給するエアユニットとは別のエアユニットを、マスク形の本体部１用として椅子本体部が備えていてもよい。この場合、表面積を増大させないで膨張させる前記エアセル４０と、表面積を増大させるようにして弾性的に膨張させる作用部（前記風船部）を有する施療シート５とでは、エアを供給するためのエアユニットのエア吐出圧及びエア吐出量（流量）が大きく異なることから、このように別のエアユニットを備えている構成とするのも好ましい。
【００６０】
また、前記実施形態では、マスク形（図１）又はエアセル４０を有する身体支持体（背凭れ部３９）を備えた椅子型（図１５）として説明したが、これ以外に、使用者の身体（上半身のみ、脚のみなど）を支持する身体支持体として平板状乃至マット状のパッド（ベース材）にエアセル４０を設け、さらにこのエアセル４０に前記施療シート５を取り付けたものであってもよい。
【００６１】
［他の形態によるマッサージ機（第５実施形態）］
図１６は、さらに別のマッサージ機の実施形態を示す説明図である。このマッサージ機は、ベース材１０に施療シート５が設けられている点で前記各実施形態と同様であり、また、ベース材１０と施療シート５とからなる本体部１を使用者の身体に付けて（貼り付けて）使用するものであるが、その位置を所望の位置に付けかえる（貼りかえる）ことができる。具体的には、ベース材１０は所定形状（図例では矩形）となっており、その中央部に施療シート５が設けられており、縁部に使用者の身体の一部に付く（貼り付く）取付部４４が設けられている。そして、この本体部１を、例えば、使用者の肩部、腰部、腕部、脚部等の各部に対して選択的に付けることができる。ベース材１０及び施療シート５は柔軟な部材であり可撓性があることから、本体部１を使用者の身体に沿って面接触した状態で付けることができる。また、ベース材１０（本体部１）は手のひらと同等の大きさ乃至これよりも小さい大きさとすることができる。
【００６２】
施療シート５は、前記各実施形態と同様であり、図４を参考にして説明すると、第１シート材１１と、この第１シート材１１に重ねて設けられている第２シート材１２とを有している。さらには、図９に示しているように、第３シート材１３を有していてもよい。そして、流路部及び作用部がこれらシート材に設けられている。
図１６において、ベース材１０の少なくとも縁部が粘着性のある部材からなり、この部分を取付部４４としている。つまり、ベース材１０を粘着部材（粘着パッド）とすることができ、この粘着部材のうちの露出した部分によって取付部４４を構成することができる。粘着部材としては、ゲルを有するものや、水、オイル等の多量の液体成分を含んだ高分子材料を有するものを採用することができる。また、貼り付けの強度を高めるために、ベルト（図示せず）によってこの本体部１を身体の一部と共に巻き付けてもよい。
【００６３】
また、前記実施形態（例えば図１）では、本体部１に、２種類以上の異なる作用部が設けられたものとしたが、作用部の種類は３種類以上であってもよい。なお、この作用部の「種類が異なる」とは、押圧する作用部（風船部８ａ）と吸引を行う作用部（吸飲孔部８ｂ）とのように、施療の性質が異なることをいう。これにより、２以上の異なる種類の施療作用を有するものが得られる。
【００６４】
また、作用部の種類は、前記作用部８ａ，８ｂ，８ｃのうちの１種類のみを有するマッサージ機であってもよい。
また、一つの本体部１において、大きさ、形状が異なる作用部が複数設けられていてもよい。
さらに、前記実施形態では、使用者側の第２シート材１２に凹部、孔を形成することで、流路部７及び作用部（８ａ，８ｂ，８ｃ）を構成した場合を説明したが、（図示しないが）第１シート材１１に凹部、孔を形成することで、流路部７及び作用部（８ａ，８ｂ，８ｃ）を構成してもよい。この場合、例えば、作用部としての風船部８ａに空気を供給することで、第２シート材１２の一部が、その表面積を拡大させながら膨張することができ、被施療部を押圧することができる。
【図面の簡単な説明】
【００６５】
【図１】この発明のマッサージ機の実施の一形態を示す正面図である。
【図２】このマッサージ機の断面図である。
【図３】このマッサージ機のマスク本体部の要部を示している正面図である。
【図４】（ａ）は図３のＡ−Ａ矢視における断面図であり、（ｂ）は作用部が機能している状態を示している。
【図５】図３のＢ−Ｂ矢視における断面図である。
【図６】図３のＣ−Ｃ矢視における断面図である。
【図７】この発明のマッサージ機の変形例を示す正面図である。
【図８】マスク形マッサージ機の第２の実施形態を示す断面図である。
【図９】（ａ）はマスク本体部の要部の断面図であり、（ｂ）は作用部が機能している状態を示している。
【図１０】マスク本体部の要部の断面図である。
【図１１】マスク本体部の要部の断面図である。
【図１２】この発明のマッサージ機の第３の実施形態を示している断面図である。
【図１３】第３の実施形態における作用部を説明する断面図である。
【図１４】第３の実施形態のマッサージ機の正面図である。
【図１５】この発明のマッサージ機の第４の実施形態を示している説明図である。
【図１６】この発明のマッサージ機の第５の実施形態を示している説明図である。
【符号の説明】
【００６６】
１  本体部（マスク本体部）
４  動力部
７  流路部（第１流路部）
８ａ  風船部（作用部）
８ｂ  吸引用孔（作用部）
８ｃ  吐出用孔（作用部）
１１  第１シート材
１２  第２シート材
１３  第３シート材
１７  流路部（第２流路部）
１８ａ  風船部（第２作用部）
１８ｂ  吸引用孔（第２作用部）
１８ｃ  吐出用孔（第２作用部）
２１  凹溝（凹部）
２２  凹部
２３  孔
３１  凹溝（凹部）
３２  凹部
３３  孔
【図１】
2008279015.tif 000003
【図２】
2008279015.tif 000004
【図３】
2008279015.tif 000005
【図４】
2008279015.tif 000006
【図５】
2008279015.tif 000007
【図６】
2008279015.tif 000008
【図７】
2008279015.tif 000009
【図８】
2008279015.tif 000010
【図９】
2008279015.tif 000011
【図１０】
2008279015.tif 000012
【図１１】
2008279015.tif 000013
【図１２】
2008279015.tif 000014
【図１３】
2008279015.tif 000015
【図１４】
2008279015.tif 000016
【図１５】
2008279015.tif 000017
【図１６】
2008279015.tif 000018